(57)【要約】本発明の組み木床板は、ハイス鋼の溶接及び木製家具に関するものであり、熱学及び力学の原理に基いて製造した環境保護によく、メンテナンスがし易い床板に関する。メンテナンス及び解体し易く、環境保護によく、美観的で、乗心地よく、熱伝導の効果に優れ、変形し難い特性を有するとともに、他の類型の床板を敷設する際のセメントスクリードに必要な素材及び労働力を節約することができる。本発明は、固定枠を含み、固定枠内に幾つかの板が設置され、前記板は長板と短板に分けられ、短板の長さは長板の長さより短く形成される。長板と短板が横に配列して長短板横列を形成し、幾つかの長板が横に配列して長板横列を形成し、長板横列と長短板横列が縦方向に交互に設置され、長短板横列の長板と長板横列の長阪は縦方向に交錯に設置され、長板と短板共枠体と平板から構成され、前記パレットは矩形枠の底部に固定されることを特徴とする。
2017500461.tif 000002
【特許請求の範囲】
【請求項１】
壁に固定且つ閉合された固定枠を含み、
固定枠には幾つかの板が設置され、固定枠は板の上表面と同平面内にあり、
前記板は長板と短板に分けられ、短板の長さは長板の長さより短く構成され、
長板と短板の横方向に配列して長短板横列を形成し、長短板横列の両端は短板であり、幾つかの長板が短板の間に設置され、長短板横列の幅は長板の幅と同じであり、
同一の行の長短板横列の短板の幅は長板の幅と同じであり、
幾つかの長板が横方向に配列して長板横列を形成し、長板横列の幅は長板の幅と同じであり、
長板横列と長短板横列は縦方向に交互に設置され、長短板横列の長板と長板横列の長板は縦方向に交錯に設置され、
短板と長板横列に隣接する片側にパレットが固定され、長短板横列の長板との間にパレットが設置され、且つ前記パレットは長短板横列の長板と長板横列に隣接する片側に設置され、同一の行の長短板横列に一枚だけの長板がある場合には、この長板にはパレットが設置されず、
長板横列の長板との間にはパレットが設置され、且つこのパレットは長板横列の長板と長短板横列に隣接する片側に設置され、長板と短板ともに枠体と平板から構成され、隣接する枠体との間には隙間があり、平板は枠体の頂部に固定され、隣接する平板は緊密に密着され、
枠体は矩形枠及び昇降ケーシング脚から構成され、昇降ケーシング脚は矩形枠の四角の底部に固定され、前記パレットは矩形枠の底部に固定されるとともに矩形枠の底部の周縁を突き出され、二枚の板は同時にパレットを介してお互いにサポートすることができないこと、を特徴とする組み木床板。
【請求項２】
前記平板に放熱孔が設置される、ことを特徴とする請求項１に記載の組み木床板。
【請求項３】
前記長板の矩形枠中部に幾つかの接続棒が設置される、ことを特徴とする請求項１に記載の組み木床板。
【請求項４】
前記枠体の矩形枠の四角に貫通孔を有する三角片が固定され、前記平板は前記三角片の貫通孔により前記枠体に固定される、ことを特徴とする請求項１に記載の組み木床板。
【請求項５】
前記固定枠及び平板は、環境配慮素材からなる板を用いる、ことを特徴とする請求項１に記載の組み木床板。
【請求項６】
前記固定枠及び平板は、フィンガーボードを用いる、ことを特徴とする請求項１に記載の組み木床板。
【請求項７】
前記移動枠はL型又は矩形である、ことを特徴とする請求項１に記載の組み木床板。
【請求項８】
前記移動枠に放熱孔が設置される、ことを特徴とする請求項１に記載の組み木床板。
【発明の詳細な説明】
【技術分野】
【０００１】
本発明は、ハイス鋼の溶接及び木製家具に関する。特に、組み木床板に関するものであり、熱学及び力学の原理に基いて製造した環境保護によく、メンテナンスし易い床板に関する。
【背景技術】
【０００２】
現状の木製床板は床暖房の上に敷設すると変形し易く、熱伝導の効果が悪く、現有の複合床板はホルムアルデヒド等の有害物質を含んでおり、両者共メンテナンス及び解体し難いとともに、直接地面或は床暖房の上に敷設した際に快適ではない。
【発明の概要】
【発明が解決しようとする課題】
【０００３】
本発明は、室内に敷設する組み木床板であって、メンテナンス及び解体し易く、環境保護によく、美観に優れ、快適であり、熱伝導の効果に優れ、変形し難い特性を有するとともに、他の類型の床板を敷設する際のセメントスクリードに必要な素材及び労働力を節約することができる組み木床板を提供することを目的とする。
【課題を解決するための手段】
【０００４】
上記の目的を実現するために、本発明の組み木床板は、壁に固定された閉合された固定枠を含み、
固定枠には幾つかの板が設置され、固定枠は板の上表面と同平面内にあり、前記板は長板と短板に分けられ、短板の長さは長板の長さより短く構成され、長板と短板の横方向に配列して長短板横列を形成し、長短板横列の両端は短板であり、幾つかの長板が短板の間に設置され、長短板横列の幅は長板の幅と同じであり、同一の並びの長短板横列の短板の幅は長板の幅と同じであり、幾つかの長板が横方向に配列して長板横列を形成し、長板横列の幅は長板の幅と同じであり、長板横列と長短板横列とは縦方向に交互に設置され、長短板横列の長板と長板横列の長板は縦方向に交錯に設置され、短板と長板横列に隣接する片側にパレットが固定され、長短板横列の長板との間にパレットが設置され、且つ前記パレットは長短板横列の長板と長板横列に隣接する片側に設置され、もし、同一の並びの長短板横列に一枚だけの長板がある場合には、この長板にパレットが設置されない。長板横列の長板との間にはパレットが設置され、且つこのパレットは長板横列の長板と長短板横列に隣接する片側に設置される。長板と短板ともに枠体と平板から構成され、隣接する枠体との間には隙間があり、平板は枠体の頂部に固定され、隣接する平板は緊密に密着され、枠体は矩形枠及び昇降ケーシング脚から構成され、昇降ケーシング脚は矩形枠の四角底部に固定され、前記パレットは矩形枠底部に固定されるとともに矩形枠の底部周縁を突き出る。二枚の板は同時にパレットを介してお互いにサポートすることができない。
【０００５】
更に、前記平板に放熱孔が設置される。
【０００６】
更に、前記長板の矩形枠の中部に幾つかの接続棒が設置される。
【０００７】
更に、前記枠体の矩形枠の四角に貫通孔を有する三角片が固定され、前記平板は三角片の貫通孔により枠体に固定される。
【０００８】
更に、前記固定枠及び平板は環境配慮素材からなる板を用いる。
【０００９】
更に、前記固定枠及び平板はフィンガーボードを用いる。
【００１０】
更に、前記昇降ケーシング脚は昇降ボルトを用いる。
【００１１】
更に、前記固定枠内に移動枠が設置され、移動枠は固定枠と板の間に設置される。
【００１２】
更に、前記移動枠はL型又は矩形である。
【００１３】
更に、前記移動枠に放熱孔が設置される。
【発明の効果】
【００１４】
本発明の組み木床板によると、メンテナンス及び解体し易く、環境保護によく、美観的で、乗心地よく、熱伝導の効果に優れ、変形し難い特性を有するとともに、他の類型の床板を敷設する際のセメントスクリードに必要な素材及び労働力を節約することができる
【図面の簡単な説明】
【００１５】
【図１】本発明の組み木床板の構成を示す構成図である。
【図２】本発明のパレットを有する長板の枠体の構成を示す構成図である。
【図３】本発明のパレットを有する短板の枠体の構成を示す構成図である。
【図４】本発明の板の構造を示す構成図である。
【図５】本発明の枠体を敷設した後の構造図である。
【符号の説明】
【００１６】
１  固定枠
２  板
３  長板
４  短板
５  長短板横列
６  長板横列
７  パレット
８  枠体
９  平板
１０  矩形枠
１１  昇降ケーシング脚
１２  放熱孔
１３  接続棒
１４  三角ハイス鋼片
１５  移動枠
１６  第一枠体
１７  第二枠体
１８  第三枠体
１９  第四枠体
２０  第五枠体
２１  第六枠体
２２  第七枠体
２３  第八枠体
【発明を実施するための形態】
【００１７】
以下、本発明の実施例に関して、図面を参考して具体的に説明する。
図１〜図５に示すように、本発明の組み木床板は、壁に固定された閉合された固定枠１を含み、固定枠１には幾つかの板２が設置され、固定枠１は板２の上表面と同平面内にあり、前記板２は長板３と短板４に分けられ、短板４の長さは長板３の長さの半分であり、長板３と短板４の横方向に配列して長短板横列５を形成し、長短板横列５の両端は短板４であり、長板３が短板４の間に設置され、長短板横列５の幅は長板３の幅と同じであり、同一の行の長短板横列５の短板４の幅は長板３の幅と同じであり、２枚の長板３が横方向に配列して長板横列６を形成し、長板横列６の幅は長板３の幅と同じであり、長板横列６と長短板横列５は縦方向に交互に設置され、長短板横列５の長板３と長板横列６の長板３は縦方向に交錯に設置され、短板４と長板横列６に隣接する片側にパレット７が固定されて隣接する長板横列６をサポートし、同一の行の長短板横列５は一枚だけの長板３を有する時に、この長板３にはパレット７が溶接されない。長板横列６の長板３との間にパレット７が設置され、且つ前記パレット７は長板横列６の長板３と長短板横列５に隣接する片側に設置されて隣接する板２の中部をサポートすることにより、板２の上表面が同一の水平面に維持することができるとともに、隣接する板２の負荷による下降を防止することができ、且つ床板のメンテナンスや解体が必要な時に順番に沿って板２を取り出すことができる。長板３と短板４ともに枠体８と平板９から構成され、隣接する枠体８との間には隙間があり、平板９は枠体８の頂部に固定され、平板９の上表面の面積は枠体８の上表面の面積より大きく、隣接する平板９は緊密に密着され、枠体８は矩形枠１０及び昇降ケーシング脚１１から構成され、昇降ケーシング脚１１が矩形枠１０の四角底部に固定されることにより矩形枠１０の高さを調節し、前記パレット７は矩形枠１０の底部に固定されるとともに矩形枠の底部周縁を突き出る。パレット７の長さは１０ｃｍ、幅は４ｃｍ、高さは２ｃｍであり、ここで、矩形枠の底部周縁を突き出た長さは２．５ｃｍであり、二枚の板はお互いに、同時にパレット７を介して他の板をサポートすることができない。異なる敷設面積に対応するために、前記異なる行の長短板横列５の幅は異なってもよく、異なる行の長板横列６の長さは異なってもよい。
【００１８】
床板が床暖房の上に設置されている場合には、前記平板９に直径が３ｃｍである放熱孔１２を設置する。
【００１９】
前記長板３の枠体８の矩形枠１０の長さは１６０ｃｍ、幅は８０ｃｍである。
【００２０】
前記短板４の枠体８の矩形枠１０の長さは８０ｃｍ、幅は８０ｃｍである。
【００２１】
前記枠体８の矩形枠１０は、ハイス鋼の方形管が溶接して形成される。
【００２２】
前記長板３の矩形枠１０の中部に１〜２本の接続棒１３が設置されることにより、枠体８の可搬重量を増加する。
【００２３】
前記枠体８の矩形枠１０の四角に孔を有する三角ハイス鋼片１４を固定し、前記平板９は三角ハイス鋼片１４の孔により枠体８に固定される。
【００２４】
前記昇降ケーシング脚１１は、溶接により、矩形枠１０の四角底部に対称的に固定される。
【００２５】
前記昇降ケーシング脚１１は、高さが１０ｃｍである昇降ボルトを用いる。
【００２６】
前記固定枠１内には、L型の移動枠１５が設置され、移動枠１５は、壁に固定された木板により固定枠１と板２間に固定される。
【００２７】
床板が床暖房の上に設置される場合に、前記移動枠１５には直径が３ｃｍである放熱孔１２が設置される。
【００２８】
前記固定枠１、平板９及び移動枠１５ともに環境配慮からなる板を用いる。
【００２９】
前記固定枠１、平板９及び移動枠１５ともにフィンガーボードを用いる。
【００３０】
以下、図面を参考しながら本発明の敷設過程を説明する。
図１〜図５に示すように、床板を敷設する時に、まず、枠体８を敷設する。第一枠体１６から第二枠体２３の順番により敷設する。ここで、第一、第二、第三、第四及び第六枠体２１にはパレット７が設置され、敷設した後、枠体８のパレット７共隣接する枠体８の中部をサポートして安定な一体を形成するようにし、最後に敷設した第八枠体２３にパレット７を設置しないことにより、取り付けと解体が便利になる。昇降ケーシング脚１１の高さを調節することにより、枠体８の上表面が同一の水平面になり、平板９を枠体８に固定して幅が１．８ｃｍである移動枠１を壁に固定し、最後にL型の移動枠１５を固定枠１内に敷設することにより、固定枠１、移動枠１５の上表面と平板９の上表面が同一の水平面になる。移動枠１５の外側壁と固定枠１の内側壁の間には２〜３ｍｍの隙間があり、移動枠１５の内側壁と板２の外側壁は密着されている。
【００３１】
若し、床板の解体、メンテナンスが必要な時は、移動枠１５を取り外してから、第八枠体２３から第一枠体１６の順番に沿って解体する。板２に損傷がある場合には、損傷された板２を替えれば、コストを節約し、操作が便利になる。
【００３２】
若し、床板を床暖房の上に敷設する場合は、移動枠１５或は平板９に放熱孔１２を空けることにより、屋内の床暖房が十分に放熱する。
【図１】
2017500461.tif 000003
【図２】
2017500461.tif 000004
【図３】
2017500461.tif 000005
【図４】
2017500461.tif 000006
【図５】
2017500461.tif 000007
【国際調査報告】
2017500461.tif 000008
2017500461.tif 000009
2017500461.tif 000010
2017500461.tif 000011
2017500461.tif 000012
2017500461.tif 000013